(57)【要約】【課題】  画像形成装置の側部に、手差しトレイを開閉可能に設けた場合に、その手差しトレイの不使用時に、構成部材を折り畳んで立て掛けて収容する動作を、前記トレイ収容部に設けた凸部材により容易に規定できるようにする。【解決手段】  小型の両面画像形成装置において、装置本体の側部に設けたカバー体としての側部開閉体３０には、手差しトレイ４０を収容する凹部３２を設けている。前記凹部３２には、凸部材３５を設けており、手差しトレイ４０のサイドガイド４２が、端部に位置決めされていない時には、前記凸部材３５が当接して、手差しトレイを収容できないように規制する。また、第１トレイ部材４５が正確に折り畳まれていない時にも、凸部材に当るように設けられる。【選択図】          図４
2005178992.tif 000002
【特許請求の範囲】
【請求項１】
画像形成装置の装置本体の側部に、支軸を介して手差しトレイを揺動可能に支持し、
前記手差しトレイの不使用時には、前記装置本体の側部に沿わせて立て掛けて保管可能とした画像形成装置において、
前記手差しトレイには、用紙の給紙方向に直角な方向の両側面を規制する巾ガイドと、  手差しトレイ本体に対してヒンジを介して折り込み可能な第２トレイとを設け、
前記装置本体側部の手差しトレイ収容部には、前記手差しトレイの巾ガイドの位置に対応させて当接部材を突出させて設け、
前記巾ガイドを内側に位置させた状態で、前記手差しトレイを装置本体の側部に収納しようとした時に、手差しトレイの一部が前記当接部材に当接するよう構成したことを特徴とする手差しトレイ。
【請求項２】
前記手差しトレイに設ける第２トレイは、前記トレイ本体に設けた巾ガイドを側部に位置させた状態でのみ、トレイ本体に重ねて収容可能とし、
前記画像形成装置の装置本体の側部に設ける当接部材は、前記巾ガイドに当接する位置に設けたことを特徴とする請求項１に記載の手差しトレイ。
【請求項３】
前記装置本体の凹部に突出させて設ける当接部材は、巾ガイドを側部に移動させた位置では当接しないように、リブを突出させて設けたものであることを特徴とする請求項１または２に記載の手差しトレイ。
【発明の詳細な説明】
【技術分野】
【０００１】
本発明は、画像形成装置の給紙部に装着する給紙トレイに加えて、手差しトレイを装置本体の側部に設けるに際して、巾ガイドや補助トレイを給紙に使用した時の状態のままで収納できないようにして、手差しトレイが外れたりすることを防止可能とする。
【背景技術】
【０００２】
従来より、複写機や、ファクシミリ装置と複写機機能を組み合わせた複合機のような画像形成装置においては、装置本体の側部に手差しトレイを配置して、給紙トレイに収容できないサイズの用紙や、少数枚の用紙を用いた記録紙の作成に対処させている。前記手差しトレイは、一般に、装置本体の側部に対して、ヒンジを介して立て掛けて保管する位置と、横に倒して給紙する位置との間で、保持位置を変更可能に設けている。また、前記手差しトレイでは、トレイ本体に対して補助トレイをヒンジ部を介して折り畳み可能に設けており、前記手差しトレイにセットした用紙の両側を規制するために、巾ガイド部材を設けている。前述したような構成を有する手差しトレイでは、それを使用しないときには、折り畳んだトレイを装置の側部に立て掛けるようにして、装置の操作の邪魔にならないように保管する（例えば、特許文献１を参照）。
【特許文献１】特開平６−３２９３０６号公報
【発明の開示】
【発明が解決しようとする課題】
【０００３】
ところが、前記手差しトレイにおいて、トレイ本体に対して２つの補助トレイを順次支持させるように３段のトレイとして設けて、トレイ本体を小型化するとともに、大サイズの用紙を取り扱うことができるようにすることが考えられている。そのような手差しトレイでは、補助トレイ部材の折り畳みが不完全であると、装置本体の側部に沿わせて保持する作用が良好に行われず、画像形成装置を使用中に、手差しトレイが開いてしまう等の不都合な状態が発生しやすい。また、正常な状態で折り畳まずに収容しようとした場合に、突部材が収容部に当ったりすると、手差しトレイのヒンジ部から外れてしまったりすることがあり、余分な動作を追加する必要があり、装置の取扱性と信頼性とを損なうという問題もある。
【０００４】
本発明は、装置本体の側部に立て掛けて保持可能にする手差しトレイに対して、補助トレイ部材を正しく畳んだ状態でのみ保持可能にして、不使用時の保持作用を良好に行い得る装置を提供することを目的としている。
【課題を解決するための手段】
【０００５】
本発明は、画像形成装置の装置本体の側部に、支軸を介して手差しトレイを揺動可能に支持し、前記手差しトレイの不使用時には、前記装置本体の側部に沿わせて立て掛けて保管可能とした画像形成装置に関する。
請求項１の発明は、前記手差しトレイには、用紙の給紙方向に直角な方向の両側面を規制する巾ガイドと、手差しトレイ本体に対してヒンジを介して折り込み可能な第２トレイとを設け、前記装置本体側部の手差しトレイ収容部には、前記手差しトレイの巾ガイドの位置に対応させて当接部材を突出させて設け、
前記巾ガイドを内側に位置させた状態で、前記手差しトレイを装置本体の側部に収納しようとした時に、手差しトレイの一部が前記当接部材に当接するよう構成したことを特徴とする。
【０００６】
請求項２の発明は、前記手差しトレイに設ける第２トレイは、前記トレイ本体に設けた巾ガイドを側部に位置させた状態でのみ、トレイ本体に重ねて収容可能とし、
前記画像形成装置の装置本体の側部に設ける当接部材は、前記巾ガイドに当接する位置に設けたことを特徴とする。
【０００７】
請求項３の発明は、前記装置本体の凹部に突出させて設ける当接部材は、巾ガイドを側部に移動させた位置では当接しないように、リブを突出させて設けたものであることを特徴とする。
【発明の効果】
【０００８】
前述したように、手差しトレイを装置本体の側部に立て掛けて収納するに際して、手差しトレイの本体に対して第２トレイを正常に折り畳んでおかないと、手差しトレイを正常な位置に収納できないことになる。そして、手差しトレイを装置本体の側部に正しく収納した状態では、ジャム処理やその他のメンテナンスに際して、装置本体の側板を開閉したとしても、手差しトレイが収納部から揺動して突出したり、ヒンジ部が外れたりすることがなく、安定した状態で保持できる。
【発明を実施するための最良の形態】
【０００９】
図示する例にしたがって、本発明の画像形成装置の構成を説明する。図１の画像形成装置１は、複写機とＦＡＸ（ファクシミリ）の両機能を備えた、いわゆる複合機の場合で説明している。画像形成装置１は電子写真方式を用いて、画像を形成する記録部を設けた装置本体２と、その本体２の下部に組み合わせた給紙部３とを備えている。前記給紙部３には、１つまたは複数個のサイズの異なる用紙を収容する給紙トレイ４を、任意に装備可能としている。そして、原稿のサイズや縮拡率等の入力された情報に応じて、記録部で必要とされるサイズの用紙を、給紙トレイ４に収容されたものから選択して、給紙することが可能とされる。図示される実施例では、１つの給紙トレイ４を装置本体２の下部にセットして、給紙ローラ５と、説明を省略する分離パッドとの協働作用により、用紙を１枚ずつ記録部１０に向けて送り出すように構成している。なお、以下に説明する例では、画像形成装置１の給紙部３に１つの給紙トレイ４を装着する例で説明しているが、前記給紙部へ装着する給紙トレイの数等は、一般の画像形成装置と同様に、任意の数の給紙トレイを装備可能とすることができることももちろんである。
【実施例】
【００１０】
前記画像形成装置１において、給紙部３にセットする給紙トレイ４から取り出した用紙は、用紙搬送路７の下部に設けた合流路の部分で他の給紙路として、手差しトレイ４０からの給紙路と、戻し路２４とを合流させるように設けている。そして、各給紙路を通って来た用紙は、レジストローラ装置６により用紙の先端部の位置決めが行われて、感光体ドラム１１に形成されるトナー画像に対して、タイミングを合わせるようにして、レジストローラ装置が駆動され手記録部１０へ送られる。前記記録部１０でトナー画像が転写された用紙は、前記記録部１０の上部に配置されている定着装置１８を通る際にトナー画像が用紙に定着され、その用紙は排出路２０から排出ローラ装置２２により、排出トレイ８に排出される。
【００１１】
前記記録部１０は、電子写真方式を用いて画像を記録する装置として構成されているもので、感光体ドラム１１に対してレーザ光を照射する書込み装置１２、現像装置１５および転写ローラ１４等を配置している。なお、前記書込み装置１２としては、ＬＥＤアレイヘッドを適用することも可能である。また、前記感光体ドラム１１の周囲に配置し、感光体ドラム１１に帯電する部材、トナー画像を用紙に転写した後で、メモリ除去等の動作を行う部材と、現像装置１５およびその周辺に配置する部材の詳細な構成とその動作は、従来の電子写真方式を用いた画像形成装置と同様なものとして構成される。
【００１２】
前記装置本体２に設けた記録部１０の上部に配置された定着装置１８は、熱ローラと加圧ローラとを対向させて配置しており、感光体ドラム１１からトナー画像が転写された用紙を、前記定着装置１８の２つのローラの間を通して定着する。前記定着装置１８を通って定着処理された用紙は、前記定着装置１８の上部から、ほぼ横向きに形成された排出路２０内を搬送され、排出ローラ装置２２により排出トレイ８に排出される。前記排出ローラ装置２２は、画像形成装置１が片面印字のみに対応する機種の場合には、用紙を排出トレイ８に向けて排出する方向にのみ、搬送作用を行うものとして構成される。
【００１３】
これに対して、図示されるように、画像形成装置１が両面印字可能な装置として構成される場合には、前記排出ローラ装置２２は正逆方向に搬送可能な装置として構成される。そして、前記画像形成装置１の印字モードとして、両面印字モードが選択されている場合には、片面印字済み用紙を排出トレイ８に向けて排出する動作の途中で、排出ローラ装置２２を反転駆動させて、切換ゲート２１により排出路２０に連通している反転路２４に向けて送り戻すようにする。前記反転路２４を通過する用紙は、レジストローラ装置６の上流部で主搬送路７に戻され、用紙の裏面が感光体ドラム１１に向くように搬送されて、トナー画像が感光体ドラム１１から転写される。その後用紙は、定着装置１８を通過する際に、トナー画像が両面に定着された用紙を、排出ローラ装置２２により排出トレイ８に向けて排出する。
【００１４】
また、前記画像形成装置１には、装置本体２の側部に手差しトレイ４０を設けている。そして、前記手差しトレイ４０からは、給紙部３にセットする給紙トレイ４に収容不能な特殊サイズの用紙類は、給紙トレイに収容している用紙とは異なるサイズで、数枚のみのコピーを必要とする用紙等は前記手差しトレイ４０にセットして、これ等の用紙類に画像形成可能なものとしている。なお、前記手差しトレイ４０の詳細な構成、および、装置本体２の上部に設ける画像読取装置５０の構成と、原稿の画像を読み込む動作等に関しては、特に本発明の要旨ではないので、詳細な説明は省略する。
【００１５】
前記主搬送路７に沿って配置する用紙搬送部材と、記録部１０に配置する各構成部材を説明すると、前記給紙トレイ４から、用紙を１枚ずつ分離して給紙するための用紙さばき装置として、図示する例では、給紙ローラ５に対向する分離パッド５ａを用いているが、これに代えて、分離爪を用いることも可能である。そして、給紙トレイ４から送り出した用紙は、停止しているレジストローラ装置６のニップ部に用紙の先端部を突入させた状態で、給紙ローラ５により追加の送り作用を用紙に付与することによって、用紙の先端部を整合する。次いで、感光体ドラム１１に形成されるトナー画像にタイミングを合わせて、前記レジストローラ装置６を駆動して用紙をさらに送り出し、感光体ドラム１１からのトナー画像を転写させる。
【００１６】
前記記録部１０においては、感光体ドラム１１の周囲に帯電器１３、現像装置１５、および転写ローラ１４を配置しており、用紙を感光体ドラム１１と転写ローラ１４の間を通すように、主搬送路７が設けられている。前記用紙を搬送路する経路は、前記定着装置１８から切換ゲート２１および排出路２０と、後述する戻し路とを、一連に組み合わせて構成している。また、前記現像装置１５は、図示するように、横長に構成した装置を用いており、トナー容器（ハウジング）の感光体ドラムに対応する側に、現像ローラ１６を設けている。
【００１７】
前記記録部１０において、感光体ドラム１１に対して、帯電器１３により感光体表面に一様な帯電を行わせ、書込み装置により光を照射して静電潜像を形成する。そして、前記静電潜像に対して、現像ローラ１６からトナーを供給して付着させ、トナー画像として可視像化する。前記用紙の裏面に位置される転写ローラ１４に対して、所定の転移の転写電圧が印加されて、前記トナー画像が用紙に転写される。前記トナー画像を用紙に転写した後で、感光体ドラム１１の表面に残留する紙粉等は、クリーニング部材１３ａにより除去される。
【００１８】
前記画像形成装置１の装置本体２に対して、図の右側の側面に設けている手差しトレイは、図２、３に示すように、トレイ本体４１に対して、補助トレイ部材としての第１トレイ４５、第２トレイ４７を各ヒンジ部材４６、４８を用いて接続している。前記手差しトレイ４０は、装置本体２の右側面に設けた側面開閉体３０に対し、凹部３２の部分にヒンジ４３を介してトレイ本体４１を揺動可能に設けて、手差しトレイの不使用時には、前記トレイ本体４１に他のトレイ４５、４７を折り畳んだ状態で立て掛けるようにして収容する。そして、図２に示す状態よりも、第２トレイ４７を伸ばした状態で用紙を載置し、給紙ローラ４４により給紙可能としている。前記手差しトレイ４０の本体部材４１の左端部には、装置本体２に設けた手差し用の給紙ローラ４４に対応させて、さばきパッド４４ａを設けており、トレイにセットした用紙を、前記給紙ローラ４４により送り出す動作を行うに際して、パッド４４ａによりさばき作用を付与するようにしている。
【００１９】
前記手差しトレイ４０において、トレイ本体４１には、セットする用紙の両側側面を規制して、斜め送りが発生しないようにするために、サイドガイド４２、４２ａを設けている。本実施例では、２つのサイドガイドを連動させて離接させるように設けて、用紙の両側を規制するようにしている。その他に、前記センターレジ方式の装置ではなく、用紙の一方の側面を固定しているサイドガイドに沿わせて、他方の側から移動可能なサイドガイド４２により規制する方式、つまり、サイドレジ方式の装置では、１つのサイドガイド４２のみを設けることで対処が可能である。
【００２０】
なお、以下に説明するように、手差しトレイ４０のトレイ本体４１に対して、第１トレイ４５を折り畳む際には、図２に説明するように、トレイ本体４１の上で、サイドガイド４２、４２ａが両側に移動された状態で、その２つのサイドガイドの間に挿入するようにして収容される。すなわち、サイドガイドが両側端部にまで移動されていないと、第１トレイ４５、すなわち、第２トレイ４７とを重ねたものが、トレイ本体４上に治められないように構成されているものである。そこで、手差しトレイ４０を装置本体の側部で立て掛けるように折り畳んだ場合には、第２トレイ４７が第１トレイ４５に確実に重なるように保持されないと、第１トレイ４５を本体部材４１に対して折り込む際に、第２トレイ４７がヒンジ４８のまわりに開いて、端部が本体部材４１の表面にあたったりするという問題がある。
【００２１】
前記手差しトレイ４０を装置本体の側部に設けている凹部３２に収納するに際して、各トレイ部材を正しく折り畳んだ状態で、収納する動作を強制するために、図４に示すように、凹部３２の所定の位置に、外側に向けて凸部材３５を所定の高さに突出させて設けている。前記凸部材３５は、手差しトレイ４０のサイドガイド４２が、トレイ本体４１の側部に移動されている位置では当接しないが、用紙を規制した位置におかれたままでは、前記サイドガイド４２が凸部材３５に当接するよう設けられている。また、第２トレイ４７を重ねた第１トレイ４５が、例本体４１に正しく重ねられていない状態では、第１トレイ４５の自由側の先端部（ヒンジ４６の部分）が、前記凸部材３５に当接するような位置にまで、長く形成したものとされる。
【００２２】
前述したように構成した手差しトレイ４０においては、それを使用後に折り畳む時に、トレイ本体４１の上で、サイドガイド４２、４２ａが両端部にまで移動されていないと、第１トレイ４５を折り畳むことができない。したがって、前記第１トレイ４５がトレイ本体に正しく治められていない状態では、図４の仮想線で符号４５で説明するように、第１トレイ４５の先端部が、凸部材３５に当接する状態となり、凹部３２に手差しトレイ４０を収納することができない。
【００２３】
また、前記トレイ本体のサイドガイド４２が、凸部材から外れる位置にまで移動されずに、トレイ本体４１に対して第１トレイ４５が、無理に重ねられた場合があったとして、それを凹部３２に入らせる動作を行うことがあったとする。その場合には、サイドガイド４２が凸部材３５に当接するのであるから、手差しトレイ４０は凹部３５に入り込ませることができない。したがって、そのような手差しトレイ４０を収容できない場合には、オペレータは、当然、トレイ部材とサイドガイドの各々の位置決めの手順が不十分であったことを知るので、改めて、手差しトレイを開いてから、再び折り畳む動作をやり直すようにする。したがって、前述したようにして、トレイの各構成部材を正しく位置決めすることで、手差しトレイの不使用時には、安定した状態で保持させることができ、多少の振動が付与されたとしても、外れたりすることがないように保持する。
【００２４】
なお、前記図１に説明した画像形成装置１において、画像形成装置１の本体２の上部に設けている画像読取装置５０は、ＦＢＳ（フラットベッドスキャナ）機能と、ＡＤＦ（自動原稿搬送装置）機能とを兼ね備えたものとして構成される。この例に示す画像読取装置５０の装置フレーム５２の上部には、プラテン５３、５４を設けて、前記プラテン５３をＦＢＳ機能に対応させ、ブックものの原稿をプラテン５３にセットして、開閉フレーム５１で押圧して走査させるようにする。また、ＡＤＦ６０においては、原稿トレイ６１と原稿排出トレイ６３の間を、横向きの略Ｕ字状の原稿搬送路６２で接続しており、原稿を定速で搬送しながら、プラテン５４の部分に停止させた読取装置５５により、画像の読み取りを行うようにする。
【００２５】
前記読取装置５５には、上部に配置するランプ５６と、複数の光を反射するミラー５７およびレンズ５８を設けている。前記読取装置５５において、前記複数のミラーにより光を反射する光路の長さを、所定の長さのものとして設定し、原稿に光を当ててその反射光をミラーにより反射して、レンズ５８によりＣＣＤ５９に結像する。そして、前記ＣＣＤ５９では、光信号をデジタル信号に変換して出力し、その情報を用いて、記録部での画像形成に用いることと、ＦＡＸ機能を用いて、情報を送信することもできる。
【図面の簡単な説明】
【００２６】
【図１】画像形成装置の構成を示す説明図である。
【図２】手差しトレイの斜視図である。
【図３】手差しトレイの側面図である。
【図４】手差しトレイを収納する状態の説明図である。
【符号の説明】
【００２７】
１    画像形成装置、  ２    装置本体、  ３    給紙部、  ４    給紙トレイ、
５    給紙ローラ、  ６    レジストローラ装置、  ７    用紙搬送路、
８    排紙トレイ、  １０    記録部、  １１  感光体ドラム、
１２    書込み装置、  １３    帯電部材、  １４    転写ローラ、
１５    現像装置、  １６    現像ローラ、  １８    定着装置、  ２０    排出路、  ２４    戻し路、  ２５    中ガイド体、  ２６・２７    搬送ローラ装置、  
３０    側部開閉体、  ３１    ヒンジ、３２    凹部、  ３５    凸部材、
４０    手差しトレイ、  ４１    本体部材、  ４２    サイドガイド、
４３    ヒンジ、  ４４    給紙ローラ、  ４５・４７    トレイ部材、
５０    画像読取装置、  ５２    フレーム、  ５３    プラテン、  
５５    読取装置、  ５９    ＣＣＤ、  ６０    ＡＤＦ、  ６１    原稿トレイ、
６２    原稿搬送路、  ６３    原稿排出トレイ。
【図１】
2005178992.tif 000003
【図２】
2005178992.tif 000004
【図３】
2005178992.tif 000005
【図４】
2005178992.tif 000006